(57)【要約】【課題】封筒内から外部に見せるべき情報の位置を封筒内の内容物の大きさに関係なく位置決めすることができる封筒を提供する。【解決手段】少なくとも表面側の一部に透明体又は開口による窓孔１１ｂを設けた袋状の封筒本体１１と、封筒本体１１に設けられて封筒本体１１の上縁開口を閉成する封止片１１ａと、封筒本体１１の内部に設けられて窓孔１１ｂから目視される情報表示帯１３とを備え、この情報表示帯１３には、封止片１１ａによって上縁開口を閉成したときに封筒本体１１と封止片１１ａとの間で挟持される折り返し部１３ｂが設けられている。【選択図】図１
2007161343.tif 000002
【特許請求の範囲】
【請求項１】
少なくとも表面側の一部に透明体又は開口による透明部分を設けた袋状の封筒本体と、該封筒本体に設けられて該封筒本体の上縁開口を閉成する封止片と、前記封筒本体の内部に設けられて前記表面側の透明部分から目視される情報表示帯とを備え、
該情報表示帯には、前記封止片によって前記上縁開口を閉成したときに前記封筒本体と前記封止片との間で挟持される折り返し部が設けられていることを特徴とする封筒。
【請求項２】
前記封止片の裏面又は前記封筒本体の裏面の少なくとも一方に設けられて前記封止片を折り曲げて前記上縁開口を閉成した際に前記封筒本体の裏面と前記封止片の裏面とを接合する貼着部材を備え、
前記折り返し部は、前記封止片によって前記上縁開口を閉成したときに前記貼着部材の少なくとも一部に貼着される貼付部を備えていることを特徴とする請求項１に記載の封筒。
【請求項３】
前記封筒本体はその全体が透明体で構成されていると共に、その表面の一部には後処理印字を可能とする表面コーティング処理が施されていることを特徴とする請求項１又は請求項２に記載の封筒。
【請求項４】
前記情報表示帯は、少なくとも宛名情報が記載される情報表示部を有することを特徴とする請求項１乃至請求項３の何れかに記載の封筒。
【請求項５】
少なくとも表面側の一部に透明体又は開口による透明部分を設けた封筒本体の上縁開口から前記封筒本体の内部に封入物を挿入し、前記表面側の透明部分から目視可能となるように情報表示帯を前記封筒本体内に挿入し、前記封筒本体に設けられた封止片により前記封筒本体の上縁開口を閉成すると同時に前記情報表示帯に設けられた折り返し部を前記封筒本体と前記封止片との間に挟持させることを特徴とする封筒の封入方法。
【請求項６】
前記封止片の裏面又は前記封筒本体の裏面の少なくとも一方に設けられた貼着部材に前記折り返し部の一部を貼着させることを特徴とする請求項５に記載の封筒の封入方法。
【発明の詳細な説明】
【技術分野】
【０００１】
本発明は、封筒及び封入方法、特に、少なくともその表面側の一部に透明体又は開口による透明部分が設けられた封筒及び封入方法に関するものである。
【背景技術】
【０００２】
【特許文献１】特開２００１−０９７３９１号公報
【特許文献２】特開平１０−１２９６７９号公報
【０００３】
従来から、内容物に直接記載された宛名や内容物を外部から確認可能とするために、その全体若しくはその一部に透明体又は開口を設けた封筒が知られている（例えば、特許文献１，２参照。）。
この際、特に、封筒の一部に透明体や開口を設けた所謂窓付き封筒の場合、収納する内容物の大きさが様々なため、封筒内で内容物の位置が定まらず、内容物に直接印字された宛名情報が窓孔から読み取り難くかったり、秘匿すべき情報が窓孔から露出してしまうなどの不都合があった。
【０００４】
そこで、図４に示すように、一辺に封止片１ａを連設すると共に窓孔１ｂを設けた窓付き封筒１であって、裏紙の上端または下端からの長さが収納する内容物２の長さより少し大きい位置で、かつ、封止片１ａを折り返したときにその接着面と対応する位置に窓孔１ｂとは別の透孔１ｃを設けたものが知られている（特許文献１参照）。
このような窓付き封筒１では、内容物２を収納した後、透孔１ｃに内容物２が位置していない状態にて封止片１ａを折り返すことにより、封止片１ａの裏面に設けられた接着テープ３の一部が透孔１ｃから封筒１の内壁面に接着し、実質的な封筒１の内容量を内容物２に適合した状態とするものである。
【０００５】
また、図５に示すように、一辺に封止片４ａを連設すると共に窓孔４ｂを設けた窓付き封筒４であって、窓付き封筒４の裏面の開口部から窓孔４ｂに至る切欠部４ｃを形成したものも知られている（特許文献２参照）。
このような窓付き封筒４では、内容物２を収納した後、封止片４ａを折り返すことにより、封止片１ａの裏面に設けられた接着テープ３の一部が切欠部４ｃから内容物２の裏面に接着し、内容物２の移動を規制するものである。
【発明の開示】
【発明が解決しようとする課題】
【０００６】
ところで、上記の如く構成された封筒にあっては、例えば、特許文献１に開示の技術では、収納する内容物２の大きさが様々なものに対し、その内容物２の大きさに応じてその内容物２よりも遥かに大きな窓付き封筒１を用意しないと内容物２が透孔１ｃに跨ってしまうという問題が生じてしまうため、窓付き封筒１と内容物２とを対応付けする大きさ選択には、透孔１ｃを設けていないものと何ら変わらないものであった。
【０００７】
また、特許文献２に開示の技術では、窓付き封筒４に収納される内容物２がステープラ針で綴じられていない複数の紙からなる書類や、綴じられた書類が多部数であるなどの場合には、窓付き封筒４の裏面側に位置しているもののみが窓付き封筒内での移動が規制されたものであり、その他の内容物２は窓付き封筒２内で遊んでしまうという問題が生じていた。
【０００８】
本発明は、上記問題を解決するため、封筒内から外部に見せるべき情報の位置を封筒内の内容物の大きさに関係なく位置決めすることができる封筒を提供することを目的とする。
【課題を解決するための手段】
【０００９】
その目的を達成するため、請求項１に記載の封筒は、少なくとも表面側の一部に透明体又は開口による透明部分を設けた袋状の封筒本体と、該封筒本体に設けられて該封筒本体の上縁開口を閉成する封止片と、前記封筒本体の内部に設けられて前記表面側の透明部分から目視される情報表示帯とを備え、該情報表示帯には、前記封止片によって前記上縁開口を閉成したときに前記封筒本体と前記封止片との間で挟持される折り返し部が設けられていることを特徴とする。
【００１０】
請求項２にキサイン発明は、前記封止片の裏面又は前記封筒本体の裏面の少なくとも一方に設けられて前記封止片を折り曲げて前記上縁開口を閉成した際に前記封筒本体の裏面と前記封止片の裏面とを接合する貼着部材を備え、前記折り返し部は、前記封止片によって前記上縁開口を閉成したときに前記貼着部材の少なくとも一部に貼着される貼付部を備えていることを特徴とする。
【００１１】
請求項３に記載の封筒は、前記封筒本体はその全体が透明体で構成されていると共に、その表面の一部には後処理印字を可能とする表面コーティング処理が施されていることを特徴とする。
【００１２】
請求項４に記載の封筒は、前記情報表示帯は、少なくとも宛名情報が記載される情報表示部を有することを特徴とする。
【００１３】
請求項５に記載の封筒の封入方法は、少なくとも表面側の一部に透明体又は開口による透明部分を設けた封筒本体の上縁開口から前記封筒本体の内部に封入物を挿入し、前記表面側の透明部分から目視可能となるように情報表示帯を前記封筒本体内に挿入し、前記封筒本体に設けられた封止片により前記封筒本体の上縁開口を閉成すると同時に前記情報表示帯に設けられた折り返し部を前記封筒本体と前記封止片との間に挟持させることを特徴とする。
【００１４】
請求項６に記載の封筒の封入方法は、前記封止片の裏面又は前記封筒本体の裏面の少なくとも一方に設けられた貼着部材に前記折り返し部の一部を貼着させることを特徴とする。
【発明の効果】
【００１５】
本発明の封筒によれば、情報表示帯が封筒本体の裏面と封止片との間で貼着部材の一部により貼着されるため、封筒内から外部に見せるべき情報の位置を封筒内の内容物の大きさに関係なく位置決めすることができる。
【発明を実施するための最良の形態】
【００１６】
次に、本発明の封筒に係わる実施の形態を図面に基づいて説明する。
図１は本発明の封筒に係わる実施の形態を示す要部の断面図、図２は本発明の封筒に係わる実施の形態を示す封筒の背面図、図３は本発明の封筒に係わる実施の形態を示す他の封筒の正面図である。
【００１７】
図２において、本実施の形態に係わる封筒１０は、上縁を開放した袋状の封筒本体１１と、この封筒本体１１内に内容物１２とは別の情報表示帯１３とを備えている。
【００１８】
封筒本体１１は、一辺に封止片１１ａを連設すると共に少なくとも表面側の一部に透明体又は開口による透明部分としての窓孔１１ｂが設けらている。また、封止片１１の裏面側には、貼着テープ等の貼着部材１４が設けられている。尚、封筒本体１１は、その全体が透明ビニール等でできたものでも良い。この場合、図３に示すように、その表面側の一部にインクの付着を可能とするためのコーティング処理を施した印字部１１ｃを設け、例えば、郵政公社における配達処理情報の印字等を可能とすることができる。また、貼着部材１４は封筒本体１１の情報寄りに設けても良い。
【００１９】
情報表示帯１３は、図１に示すように、窓孔１１ｂよりも大きくすることにより内容物１２が窓孔１１ｂから見えないようにすることが可能となっている。また、情報表示帯１３はその窓孔１１ｂの内側に位置する部分に送付先の住所・氏名や送付元の住所・氏名といった宛名情報を記入又は印字することができる情報表示部１３ａが設けられている。尚、この情報表示部１３ａへの記載は、例えば、封筒本体１１に送付元の住所・氏名が記載されている場合には省略することができるなど、その表示内容は限定されるものではない。さらに情報表示帯１３は、その上部付近を折り返すことによって折り返し下縁部を貼着部材１４の一部で貼着した状態で封筒本体１１の裏面と封止片１１ａとで挟持される折り返し部１３ｂが設けられている。
【００２０】
このような構成においては、封筒本体１１の内部に内容物を入れた後、情報表示帯１３の情報表示部１３ａを窓孔１１ｂに対面させて外部からの視認性を確保した上で折り返し部１３ｂを折り返し、封止片１１ａを折り返して貼着部材１４の一部に貼着させることで封筒本体１１の内部、即ち、窓孔１１ｂとの相対位置が固定される。尚、情報表示帯１３は、貼着部材１４の一部に貼着させず、単に封筒本体１１の裏面と封止片１１ａとの間に挟持させても、情報表示帯１３のある程度の動きの規制効果を奏することができる。
【００２１】
ところで、情報表示帯１３は、上記のものに限定されるものではなく、例えば、規格の用紙（例えば、Ａ４サイズ）のものを利用しても良い。これにより、情報表示帯１３の情報表示部１３ａを除いた他の部分に、要件（例えば、連絡事項や請求明細など）を記入し、情報表示帯１３を内容物１２と兼用することも可能である。
【図面の簡単な説明】
【００２２】
【図１】本発明の封筒に係わる実施の形態を示す要部の断面図である。
【図２】本発明の封筒に係わる実施の形態を示す封筒の背面図である。
【図３】本発明の封筒に係わる実施の形態を示す他の封筒の正面図である。
【図４】従来の封筒の背面図である。
【図５】他の従来の封筒の背面図である。
【符号の説明】
【００２３】
１０…封筒
１１…封筒本体
１１ａ…封止片
１１ｂ…窓孔（透明部分）
１１ｃ…印字部
１２…内容物
１３…情報表示帯
１３ａ…情報表示部
１３ｂ…折り返し部
１４…貼着部材
【図１】
2007161343.tif 000003
【図２】
2007161343.tif 000004
【図３】
2007161343.tif 000005
【図４】
2007161343.tif 000006
【図５】
2007161343.tif 000007